(57)【要約】      （修正有）【課題】騒音が小さく、送温風が体温に近く、保温器とブロアモーターが１体型で小型、軽量で、絡日使用でも発熱、感電がなく、顔面装着具が軽く就寝者寝返りに対処ができ、加湿が調整できる就寝時いびき防止器の提供。【解決手段】いびきを防止する器具として、絡日使用可能なミルク保温器を素材とし、その保温ヒーターは小型丸型、高さ６ｃｍ直径１３ｃｍ外皮は熱が外側に伝わらないポリカポリネート製、ヒーター部サーモスタット７０℃重量３５０ｇで筐内先に設置固定する。サイレントブロアモーターは円形厚さ３ｃｍ直径１０ｃｍ風量２２５パスカル騒音４．８デシベル、上記モーター下に電気配線器具を置き、高低調整板を重ね、保温器と高さを平衡にして隣接固定する。【選択図】図１
0003121800.tif 000002
【実用新案登録請求の範囲】
【請求項１】
ヒーターと、このヒーターで過熱された温風を水を入れた容器に送給するブロアと前記容器と容器の中に送給されて加湿された温風を人の鼻の近傍に送給する供給管とよりなるいびき防止具。
【考案の詳細な説明】
【技術分野】
【０００１】１
本器は、サーモスタット７０℃の保温ヒーターとサイレントブロアモーターを組合わせた１体型になっている。前記ヒーター上にステンレスじゃばらパイプが置かれ、ヒーターにより吸入保温された温風を前記モーターに組合された畜風タンクに送られ増量され、ヒーター上に置かれた水３００ｍｌを入れた耐熱ガラス容器の吸入管に入り加湿保温され、ヒーターは保温の２重効果を発揮する。
２
上記容器は吸入管と排出管に分れ、吸入管はＬ字形になっていて排出管に隣接している。排出管と樹脂連結パイプ２ｍを通してステンレス製顔面固定具に送られる。顔面固定具を通して鼻下に温風が送られる。
３
顔面固定具は長さ１４ｃｍ厚さ０．６ｍｍステンレス製。頭部に当る部分は幅が広く頭頂部に１ケ所、頬部当る部分に２ケ所の細長い穴が空けられ平バンドがつけられ、頭部を固定する。真中部分は幅１ｃｍと細くなり、使用者の顔面の長さに応じて折り曲げ自由になっている。鼻下に当る部分は幅広になり円型穴が空けられ表面部分に鼻部固定Ｌ型ジョイントがはめ込み固定され、Ｌジョイントの両脇に細長い穴が空けられ固定バンドが取付けられ、鼻部が固定される。
【背景技術】
【０００２】  市場の製品は鼻上にバネの布製小片を張りつけ鼻孔を拡げ気道を大きくして就寝する。起床時鼻孔に１０〜１５分程度のスチームを吸咽させる。気道を拡げる為、横向機器としてコンプレッサで送風し保温と加湿が別々になっていて重量が有り大型、高額である。この機器は医療用いびき専用ではない。  医師の推奨は就寝時鼻呼吸である為、気道を拡げる為の横向就寝。重症は咽喉、鼻孔の拡張手術。製品は（公序良俗違反につき、不掲載）病院推奨、（公序良俗違反につき、不掲載）意匠登録のスチームスカイナーがある。鼻孔吸入製品としては（公序良俗違反につき、不掲載）が販売する無呼吸症候群治療器（公序良俗違反につき、不掲載）がある。高額で貸出が主である。前記の様に別々の機器になっている。小型であるが騒音が大きい。
【考案の開示】
【考案が解決しようとしている課題】
【０００３】１
騒音を小さくする。
２
送温風が体温に近く違和感を感じない事。
３
保温器とブロアモーターが１体型で小型、軽量である事。
４
絡日使用でも発熱、感電がない事。
５
顔面装着具が軽く就寝者寝返りに対処が出来る事。
６
加湿が調整できる事。
【課題を解決する為の手段】
【０００４】  いびきを防止する器具として、絡日使用可能なミルク保温器を素材とし、その保温ヒーターは小型丸型、高さ６ｃｍ直径１３ｃｍ外皮は熱が外側に伝わらないポリカポリネート製、ヒーター部サーモスタット７０℃重量３５０ｇで筐内先に設置固定する。サイレントブロアモーターは円形厚さ３ｃｍ直径１０ｃｍ風量２２５パスカル騒音４．８デシベル、上記モーター下に電気配線器具を置き、高低調整板を重ね、保温器と高さを平衡にして隣接固定する。
既製ステンレスじゃばらパイプ５０ｃｍ両端に１３ｍｍピッチの雌螺子が付いた製品で前先端は空気吸入タンクを螺子固定し筐体内側に取付ける。後端はブロアモーター上につけた畜風タンクに螺子固定し上記ステンレスじゃばらパイプは円型に折り曲げてヒーター上に設置し保温器外皮に固定する。
筐の大きさは、深さ１０ｃｍ縦２３ｃｍ横３５ｃｍ。筐内一体型であり、組み込まれた器具・モーター含め重量は３．５ｋｇ。
水を３００ｍｌ入れた耐熱ガラス容器は、ヒーター上に置かれ、筐の上蓋と固着されたステンレス容器で保護され転倒防止になっている。耐熱ガラス容器上蓋はプラスチック製で下の容器に廻し止め密着固定できる。上蓋裏のＬ字吸入パイプ管は排出管に隣接取付けられる。モーター排出部とＬ字吸入パイプ管は、３０ｃｍのビニールじゃばらパイプで継がれている。
保温ヒーターは、温風をブロアモーターに送り、耐熱ガラスの保温と二重効果を発揮する。耐熱ガラス容器のＬ字吸入パイプ管と排出管が隣接していて温風が保たれ、加湿が調整できる。畜風タンクで風量が増量される。
顔面固定具は顔面に合わせ装着出来、はめ込まれた鼻部回転Ｌ型ジョイントは寝返りに応じ３６０°回転する。防止器は寝具の足元に置かれ、２ｍの樹脂製じゃばらパイプを通して鼻部Ｌ型ジョイントにはめ込まれ、密閉され、保温のまま鼻孔に送風される。騒音は殆ど聴こえない。顔面固定具全体で５０ｇ。
【考案の効果】
【０００５】  本器は総重量４ｋｇである。保温ヒーターはサーモスタット製７０°外皮ポリカポリネート製熱伝導を抑制され熱くならない絡日使用のミルク保温器を題材にしていて、就寝時使用者に適している。サイレントブロアモーターは樹脂製連結じゃばらパイプでつないだ畜風タンクを取付けた事により、風量が増す。更に本器から鼻部迄２ｍ以上の長さでも風量が落ちない。騒音はモーター音がかすかに聴こえる程度で、騒音による寝不足を防止できる。ステンレスパイプを保温器ヒーター部分に円形設置しモーター部の畜風タンクに送られ、温風が耐熱ガラス容器上蓋のＬ字吸入パイプ管を接続し排出パイプ管に密着していてヒーター上の温水と温風とが合わされ、鼻孔下迄送られるので身体温度に近くなり違和感がない。さらに適度な加湿になり就寝をさまたげない。本器は保温ヒーターが先に、送風モーターが後に置かれ、両器を同一器内に設置した。一体型本器と顔面装着部は結合部全体は重量５０ｇ、鼻部回転Ｌ型ジョイントは３６０°回転し寝返り防止になり、装具のステンレスの調整で鼻孔に直接入れず、鼻下に軽く置く。就寝から起床迄使用する事が出来る。
【考案を実施する為の最良の形態】
【０００６】１
いびき防止器を収納する筐裏横に抗菌アダプターを取付ける。その内側に吸入タンクを螺子固定する。円型保温ヒーターは、筐の右側の部分で螺子固定する。左側にサイレントブロアモーターを置く。その最下部に電気系統をつなぐソケット部分を置く。次に高低調整ゴム盤を置く。モーター吸入部に畜風タンクを接着する。保温ヒーターとサイレントブロアモーターの高さを同じにし、筐の底に螺子固定する。
２
長さ５０ｃｍ既製の１３ｍｍステンレスじゃばらパイプの中央部分を円型に折り曲げ保温ヒーター内側円形に保温ヒーターの耐熱ポリカポリネート製外皮に止め金具で螺子固定して置く。ステンレス前先端はゴムパッキンを入れ、吸入タンクに螺子固定し、パイプ後端は、ブロアモーター上の畜風タンクに螺子固定する。
３
耐熱ガラス容器は耐熱７０℃。上蓋は樹脂製で廻し止めになっている。その上蓋の左右に２０ｍｍの穴を空け、左側には同径のＬ字吸入パイプ管を接着固定する。右側には同径の排出パイプ管を接着固定する。耐熱ガラス内のＬ字吸入パイプ管と排出パイプ管は隣接している。パイプの素材は樹脂製。前述のモーター排出部は、ビニール製じゃばらパイプを通して耐熱ガラス容器のＬ字吸入パイプ管と継がる。
４
いびき防止器は使用就寝者の寝具の足元に置かれる。同器の排出管は約２ｍの長さの樹脂製じゃばらパイプにはめ込まれ、他の一方は就寝者のステンレス製顔面固定具に継がる。顔面固定具は使用者の額と鼻下までの長さに応じて曲げられる。固定具は固定バンドで、額部、頭部、頬部を調整装着出来る。鼻部回転Ｌ型ジョイントは、就寝者の動きに応じて３６０°回転でき、空気が漏れる事はない。
【実施例】
【０００７】  以下、添付図面に従って実施例を説明する。図１は就寝時いびき防止器装着図である。いびき防止器図は符号２。筐内防止器を斜め上方から見た構造図で、防止器から就寝する人に連結パイプをつなげ顔面装着し就寝している人の斜め横から見た想像図である。
符号１はサーモスタット７０℃の保温器である。符号２はサイレントブロアモーター、符号３吸入タンクは、符号２２筐に螺子固定。符号４ステンレスじゃばらパイプ、符号５畜風タンク、符号６ジョイントパイプ、符号７ビニール製連結じゃばらパイプ４０ｃｍ、符号８耐熱ガラス容器、符号９耐熱ガラス容器上蓋につけたＬ字吸入パイプ管、符号１１耐熱ガラス容器と顔面装着をつなぐ２ｍの樹脂製連結じゃばらパイプ、符号１２はステンレス製顔面固定具、符号１３固定バンドは裏側マジックテープ雌で先端は全て雄となっている。
【実施例】
【０００８】図２
符号１２ステンレス製顔面固定具の素材は、長さ１４ｃｍ厚さ０．６ｍｍ頭頂部は固定バンド挿入穴３個、中央部は幅１ｃｍ、鼻下に当る部分は固定バンド挿入穴２個と中央に鼻部回転Ｌ型ジョイント穴となっている。折り曲げ自由なので使用者顔面寸法に合わせる。
符号１４は鼻部回転Ｌ型ジョイントで符号１２の外側に接着固定する。先端螺子状部分は３６０°回転し、さらにその先端は符号１１の連結パイプに継がる。符号１５は鼻下に近接する鼻孔吸入ゴムである。【０００９】図３
図３はいびき防止器−内部構造の上面図であり、符号１６は吸入抗菌アダプター、内側に抗菌布を入れ、取り外しが簡単である。符号２３はヒーター上のステンレスパイプと畜風タンクを同じ高さに調整するゴム盤である。【００１０】図４
図４はいびき防止器の電気回路図である。符号１７は２個口ソケット、符号１８は変換ＤＣアダプター１Ａ、符号１９はサイレントブロアモータースイッチ、符号２０はサーモスタット保温ヒータースイッチ、符号２１は保温ヒーターパイロットランプである。【００１１】図５
図５はいびき防止器完成正面図である。符号２２はいびき防止器収納筐、符号２４は筐にはめ込んだステンレス容器であり耐熱ガラスの保護と熱伝導効率を良くする。
【図面の簡単な説明】
【００１２】
【図１】就寝時いびき防止器装着図。
【図２】顔面固定具。
【図３】いびき防止器内部構造図。
【図４】いびき防止器電気回路図。
【図５】いびき防止器完成正面図。
【符号の説明】
【００１３】  １  サーモスタット保温ヒーター
２  サイレントブロアモーター
３  吸入タンク
４  ステンレスじゃばらパイプ
５  畜風タンク
６  ジョイントパイプ
７  ビニール製連結じゃばらパイプ
８  耐熱ガラス容器
９  Ｌ字吸入パイプ管
１０  排出パイプ管
１１  樹脂製連結じゃばらパイプ
１２  ステンレス製顔面固定具
１３  固定バンド
１４  鼻部回転Ｌ型ジョイント
１５  鼻孔吸入ゴム
１６  吸入抗菌アダプター
１７  ２個口ソケット
１８  変換ＤＣアダプター
１９  サイレントブロアモータースイッチ
２０  サーモスタット保温ヒータースイッチ
２１  保温ヒーターパイロットランプ
２２  就寝時いびき防止器収納筐
２３  高低調整ゴム盤
２４  ステンレス容器
【図１】
0003121800.tif 000003
【図２】
0003121800.tif 000004
【図３】
0003121800.tif 000005
【図４】
0003121800.tif 000006
【図５】
0003121800.tif 000007
【手続補正書】
【提出日】平成18年2月21日(2006.2.21)
【手続補正１】
【補正対象書類名】明細書
【補正対象項目名】０００７
【補正方法】変更
【補正の内容】
【０００７】    以下、添付図面に従って実施例を説明する。図１は就寝時いびき防止器装着図である。いびき防止器図は符号２。筐内防止器を斜め上方から見た構造図で、防止器から就寝する人に連結パイプをつなげ顔面装着し就寝している人の斜め横から見た想像図である。
符号１はサーモスタット７０℃の保温器である。符号２はサイレントブロアモーター、符号３吸入タンクは、符号２２筐に螺子固定。符号４ステンレスじゃばらパイプ、符号５畜風タンク、符号６ジョイントパイプ、符号７ビニール製連結じゃばらパイプ４０ｃｍ、符号８耐熱ガラス容器、符号９耐熱ガラス容器上蓋につけたＬ字吸入パイプ管、符号１１耐熱ガラス容器と顔面装着をつなぐ２ｍの樹脂製連結じゃばらパイプ、符号１２はステンレス製顔面固定具、符号１３固定バンドは裏側マジックテープ（登録商標）雌で先端は全て雄となっている。